(57)【要約】【課題】  斜面に形成された複数の廃棄物処理予定区域間の屋根の移動が容易になり、屋根移動に伴うコストを削減できるとともに、斜面の上下方向に屋根の大きさに見合った大きさの複数の廃棄物処理予定区域を形成していくことができ、斜面の有効利用化が図れる廃棄物処理方法を提供する。【解決手段】  複数の廃棄物処理予定区域（埋立ピット６ａ〜６ｃ）を斜面地１０に形成し、複数の骨格部材間にシートが張られて構成される屋根１を１つの廃棄物処理予定区域に設け、この屋根付き廃棄物処理予定区域に対する廃棄物の埋め立て作業後や、投入作業後や、搬入作業後に、上記屋根を持ち上げてから他の廃棄物処理予定区域まで移動して他の廃棄物処理予定区域の屋根とした後に、当該他の廃棄物処理予定区域に対する廃棄物の埋め立て作業や、投入作業や、搬入作業を行う。【選択図】        図２
2005087791.tif 000002
【特許請求の範囲】
【請求項１】
複数の廃棄物処理予定区域を斜面に形成し、複数の骨格部材間にシートが張られて構成される屋根を１つの廃棄物処理予定区域に設け、この屋根付き廃棄物処理予定区域に対する廃棄物の埋め立て作業後や、投入作業後や、搬入作業後に、上記屋根を持ち上げてから他の廃棄物処理予定区域まで移動して他の廃棄物処理予定区域の屋根とした後に、当該他の廃棄物処理予定区域に対する廃棄物の埋め立て作業や、投入作業や、搬入作業を行うことを特徴とする廃棄物処理方法。
【請求項２】
複数の廃棄物処理予定区域は斜面に段差を付けて形成したことを特徴とする請求項１に記載の廃棄物処理方法。
【請求項３】
上記屋根を揚重機で持ち上げて他の廃棄物処理予定区域まで移動したことを特徴とする請求項１又は請求項２に記載の廃棄物処理方法。
【請求項４】
屋根を分割して移動することを特徴とする請求項１ないし請求項３のいずれかに記載の廃棄物処理方法。
【請求項５】
屋根は屋根頂部から下方に延長する一対の骨格部材間にシートが張られて成る屋根ユニットを複数組み合せて構成されたことを特徴とする請求項１ないし請求項４のいずれかに記載の廃棄物処理方法。
【請求項６】
骨格部材はアルミ合金により形成されたことを特徴とする請求項１ないし請求項５のいずれかに記載の廃棄物処理方法。
【発明の詳細な説明】
【技術分野】
【０００１】
本発明は、斜面に形成された複数の廃棄物処理予定区域間において屋根を移動して廃棄物の埋め立て作業や、投入作業や、搬入作業を行う廃棄物処理方法に関する。
【背景技術】
【０００２】
従来、廃棄物を投棄して埋め立てるために複数の単位埋立ピットを区画形成し、これら埋立ピットの土留壁上にレールを設けるとともに、埋立ピットを覆う屋根の下部にはレールを走行する車輪を設け、これらレール及び車輪から成る移動機構を介して複数の埋立ピット間で屋根を移動できるようにし、１つの埋立ピットに対する埋立処理が終わる毎に次の埋立ピットに屋根を水平移動するようにした廃棄物処理方法がある（例えば、特許文献１参照）。
【特許文献１】特許第２８８４２２９号公報
【発明の開示】
【発明が解決しようとする課題】
【０００３】
特許文献１のように移動機構で屋根を移動させる方法では、屋根移動のために移動機構を設けなくてはならず、コストが嵩む。また、経時により移動機構のレールや車輪がさび付いたりして、屋根の移動作業をスムーズに行えない場合がある。また、特許文献１のように移動機構を用いて屋根を水平移動させる方法では、斜面において高低差を付けて複数の埋立ピット（廃棄物処理予定区域）を設けると、高低差を付けて形成された上，下の埋立ピット間で屋根を移動できない。従って、斜面地において複数の埋立ピットを設ける場合には屋根を移動させる複数の埋立ピット間に高低差がないようにしなければならない。このように、斜面地において高低差がないように複数の埋立ピットを形成するためには、図４に示すように、斜面地において広い面積の平面地を造成しなければならないので、斜面地の盛土作業あるいは掘削作業が大変であり、作業コストも嵩む。尚、図４（ａ）において、１０は斜面地、１１は斜面地１０において盛土作業により造成された盛土平面地、１２ａ〜１２ｃは盛土平面地１１の上に区画造成された複数の埋立ピット、１３は上記移動機構を介して各埋立ピット間で矢示のように移動可能となった屋根である。図４（ｂ）において、１４は斜面地１０において掘削作業により造成された掘削平面地、１５ａ〜１５ｃは掘削平面地１４の上に区画造成された複数の埋立ピットである。
【課題を解決するための手段】
【０００４】
本発明に係る廃棄物処理方法は、複数の廃棄物処理予定区域を斜面に形成し、複数の骨格部材間にシートが張られて構成される屋根を１つの廃棄物処理予定区域に設け、この屋根付き廃棄物処理予定区域に対する廃棄物の埋め立て作業後や、投入作業後や、搬入作業後に、上記屋根を持ち上げてから他の廃棄物処理予定区域まで移動して他の廃棄物処理予定区域の屋根とした後に、当該他の廃棄物処理予定区域に対する廃棄物の埋め立て作業や、投入作業や、搬入作業を行うようにした。また、複数の廃棄物処理予定区域は斜面に段差を付けて形成した。また、上記屋根を揚重機で持ち上げて他の廃棄物処理予定区域まで移動した。また、屋根を分割して移動した。また、屋根は屋根頂部から下方に延長する一対の骨格部材間にシートが張られて成る屋根ユニットを複数組み合せて構成した。また、骨格部材はアルミ合金により形成されたものを用いた。
【発明の効果】
【０００５】
本発明によれば、複数の廃棄物処理予定区域を斜面に形成し、複数の骨格部材間にシートが張られて構成される屋根を１つの廃棄物処理予定区域に設け、この屋根付き廃棄物処理予定区域に対する廃棄物の埋め立て作業後や、投入作業後や、搬入作業後に、上記屋根を持ち上げてから他の廃棄物処理予定区域まで移動して他の廃棄物処理予定区域の屋根とした後に、当該他の廃棄物処理予定区域に対する廃棄物の埋め立て作業や、投入作業や、搬入作業を行うので、斜面に形成された複数の廃棄物処理予定区域間の屋根の移動が容易になり、屋根移動に伴うコストを削減できるとともに、斜面の上下方向に屋根の大きさに見合った大きさの複数の廃棄物処理予定区域を形成していくことができ、斜面の有効利用化が図れる。また、斜面に段差を付けて複数の廃棄物処理予定区域を形成したので、段差を付けて形成される複数の廃棄物処理予定区域を屋根の大きさに見合った大きさに形成でき、廃棄物処理予定区域を形成するための盛土平面地あるいは掘削平面地を造成するための盛土作業あるいは掘削作業のコスト削減及び容易化が図れ、この段差（高低差）を付けて形成される複数の廃棄物処理予定区域間で屋根の移動作業をスムーズに行える。また、屋根を揚重機で持ち上げて他の廃棄物処理予定区域まで移動することにより、屋根の移設作業が容易になる。また、屋根を分割して移動するようにすれば、小型の揚重機で屋根を移動させることができる。また、屋根は屋根頂部から下方に延長する複数の骨格部材間にシートが張られて成る屋根としたので、隣接する骨格部材同士を固定することで屋根を形成でき、隣接する骨格部材同士の固定を解除することで分割できるので、取り扱いが容易であり、屋根移動、屋根組立作業を容易にできる。また、骨格部材をアルミ合金により形成したので、廃棄物に対する耐食性を保て、また、屋根の軽量化が図れる。また、屋根ユニットを組み換えることができるので、埋立ピットの開口部の大きさに柔軟に対応できる。
【発明を実施するための最良の形態】
【０００６】
実施の形態１
図１は屋根の斜視図、図２は埋立ピット間における屋根移動の説明図である。
屋根１は、例えば図１に示すように複数の屋根ユニットにより構成され、妻側に配置される屋根ユニット２Ａ，２Ａは、２本の骨格部材２ａ，２ｂ間にシート２ｄが張設されており、また、妻側に位置する骨格部材２ａの屋根頂部に相当する箇所から下方に延長するように骨格部材２ｃが設けられており、この骨格部材２ｃと骨格部材２ａ間にもシート２ｄが張設されている。中央側に配置される屋根ユニット２Ｂ，２Ｂは、２本の骨格部材２ｂ，２ｂ間にシート２ｄが張設されている。シート２ｄは例えばポリエステル織布等のシートを用いる。各屋根ユニット２Ａ，２Ｂ，２Ｂ，２Ａは、隣合う骨格部材２ｂ，２ｂが適当な固定手段（図示せず）で固定されて、これにより、屋根ユニット２Ａ，２Ｂ，２Ｂ，２Ａとシート２ｄとで屋根面と全側面とが閉塞された屋根１が構成される。従って、固定手段による固定を解除することで各屋根ユニット２Ａ，２Ｂ，２Ｂ，２Ａに分離することができる。即ち、屋根１は屋根頂部から下方斜めに延長する一対の骨格部材間にシートが張られて成る屋根ユニットを複数組み合せて構成されており、隣合う骨格部材２ｂ，２ｂを固定することにより屋根１が形成され、固定を解除することで各屋根ユニット２Ａ，２Ｂ，２Ｂ，２Ａに分離することができるので、取り扱いが容易で、かつ、軽量であり、屋根移動、屋根組立作業を容易にできる。尚、各屋根ユニットの骨格部材間には適宜間隔で横支持棒材２ｅが設けられている。この横支持棒材２ｅとして伸縮可能な棒材を用いれば、シート２ｄの張り具合を調整できる。２ｇは出入口である。
屋根１の形状は、骨格部材の形状、配置等を工夫することにより、様々な形状に設定でき、屋根ユニットの大きさや数等により、大きさを自由に設定できる。
骨格部材２ａ，２ｂ，２ｃ及び横支持棒材２ｅは例えば木や、スチール，アルミ合金，マグネシウム合金等の金属をパイプ材やアングル材等に加工した軽量かつ強度の高いものを用いればよい。特にアルミ合金で形成されたものを用いることにより、廃棄物から排出する塩素ガス等で腐食しにくく、耐食性を保て、また、屋根１の軽量化が図れる。
【０００７】
図２（ａ），（ｂ）に示すように、斜面地１０の盛土作業あるいは掘削作業により、斜面地１０の上下方向に段差を付けて複数の盛土平面地３ａ〜３ｃあるいは掘削平面地４ａ〜４ｃを形成する。そして、段差を付けて形成された各盛土平面地３ａ〜３ｃや各掘削平面地４ａ〜４ｃの上に区画堰堤５により区画造成した廃棄物処理予定区域としての埋立ピット６ａ〜６ｃを形成する。このようにすれば、斜面地１０の上下方向に屋根１の大きさに見合った大きさの埋立ピット６ａ〜６ｃを形成していくことができるので、埋立ピット６ａ〜６ｃを造成するための盛土平面地３ａ〜３ｃあるいは掘削平面地４ａ〜４ｃを造成するための盛土作業あるいは掘削作業が図４のような従来に比べて容易になり、作業コストも削減できる。
【０００８】
そして、まず第１の埋立ピット６ａに屋根１を設けて第１の埋立ピット６ａに廃棄物を埋め立てた後に廃棄物の上に覆土をし、その後、屋根１を矢示のように第２の埋立ピット６ｂに移動する。同様に屋根１が設けられた第２の埋立ピット６ｂに廃棄物を埋め立てた後に廃棄物の上に覆土をし、その後、屋根１を第３の埋立ピット６ｃに移動する。
【０００９】
屋根１はクレーン等の揚重機で持ち上げて移動する。この場合、屋根１そのものをそのまま揚重機で持ち上げて移動してもよいし、複数の屋根ユニットを複数回に分けて移動してもよい。例えば、図１の屋根１を中央の部分で分割して、締結された屋根ユニット２Ａと屋根ユニット２Ｂとから成る２組の半体２ＡＢを２回に分けて移動してもよい。また、屋根ユニットを１つずつ移動してもよい。どのように移動するかは、揚重機の揚重容量等を考慮して決めればよい。よって、従来のように屋根移動のための移動機構を不要とできて、屋根移動に伴うコストを削減でき、また、従来のようにレールや車輪がさび付くことによる不具合は生じないので、従来に比べて屋根の移動作業をスムーズに行える。また、屋根１を屋根ユニットに分割して移動すれば、小型の揚重機で屋根１を移動させることができ、また、移動作業も容易になる。さらに、各屋根ユニットを組み換えることにより、埋立ピットの開口部の大きさが異なる場合でも、埋立ピットを完全に覆うことのできる屋根を容易に構築できる。
本実施の形態１では、屋根１をクレーン等の揚重機で持ち上げて移動するので、段差（高低差）を付けて形成された複数の埋立ピット６ａ〜６ｃ間においても屋根１を容易に移動させることができる。
【００１０】
実施の形態２
実施の形態１では、斜面地１０に段差を付けて形成された埋立ピット間において屋根１を移動させる場合について説明したが、図３に示すように、斜面地１０そのものを利用して斜面地１０に形成された埋立ピット６Ａ，６Ｂ，６Ｃ間において屋根１を移動させる場合にも同様な効果が得られる。この場合、斜面地１０の上下方向に屋根１の大きさに見合った大きさの廃棄物処理予定区域６Ａ〜６Ｃを形成していくことができ、斜面地１０の有効利用化が図れる。
【００１１】
尚、図４に示すような広い面積に造成された平面地より成る高低差のある廃棄物処理予定区域間において屋根１を移動させる場合にも同様な効果が得られる。
また、リフト等の起重機で屋根１を持ち上げて移動してもよい。
【産業上の利用可能性】
【００１２】
また、上記では、廃棄物処理予定区域としての廃棄物最終処分埋立ピットに廃棄物を埋め立てる廃棄物処理について説明したが、本発明は、廃棄物処理予定区域としての廃棄物仮置き区域に廃棄物を仮置きする廃棄物処理や廃棄物処理予定区域としての廃棄物積替え区域に廃棄物を置く廃棄物の投入・搬入の廃棄物処理の場合にも適用できる。
【図面の簡単な説明】
【００１３】
【図１】本発明の実施の形態１の廃棄物処理方法に用いる屋根の斜視図。
【図２】本発明の実施の形態１の廃棄物処理方法における廃棄物処理予定区域間の屋根移動の説明図。
【図３】本発明の実施の形態２の廃棄物処理方法における廃棄物処理予定区域間の屋根移動の説明図。
【図４】従来の廃棄物処理予定区域間における屋根移動の説明図。
【符号の説明】
【００１４】
１  屋根、２Ａ，２Ｂ  屋根ユニット、２ａ，２ｂ，２ｃ  骨格部材、２ｄ  シート、
６ａ〜６ｃ，６Ａ〜６Ｃ  埋立ピット（廃棄物処理予定区域）、１０  斜面地。
【図１】
2005087791.tif 000003
【図２】
2005087791.tif 000004
【図３】
2005087791.tif 000005
【図４】
2005087791.tif 000006